(57)【要約】【課題】車両に搭載される灯具において色収差の発生を抑制し、良好な配光パターンを形成可能とする。【解決手段】シェード５２ａは、半導体発光素子６１から出射される光が通過する投影レンズ６３の光軸Ａｘの第１の側に配置され、半導体発光素子６１から出射された光の一部を遮ることを可能とされている。投影レンズ６３の出射面における周縁部は、当該出射面における中央部６３ａの曲率よりも小さな曲率を有する部分を含んでいる。投影レンズ６３は、光軸Ａｘを挟んで第１の側の逆側である第２の側において、周縁部の一部が切り欠かれた形状を有している。【選択図】図５
2014071958.tif 000002
【特許請求の範囲】
【請求項１】
車両に搭載される灯具であって、
半導体発光素子と、
前記半導体発光素子から出射される光が通過する投影レンズと、
前記投影レンズの光軸の第１の側に配置され、前記半導体発光素子から出射された光の一部を遮ることを可能とされたシェードとを備え、
前記投影レンズの出射面における周縁部は、当該出射面における中央部の曲率よりも小さな曲率を有する部分を含み、
前記投影レンズは、前記光軸を挟んで前記第１の側の逆側である第２の側において、前記周縁部の一部が切り欠かれた形状を有している、灯具。
【請求項２】
前記第１の側と前記第２の側は、それぞれ車両の下側と上側であり、
前記出射面の少なくとも前記中央部は、前記半導体発光素子から出射される光を車両の左右方向に拡散させる形状を有している、請求項１に記載の灯具。
【請求項３】
車両に搭載される灯具であって、
半導体発光素子と、
前記半導体発光素子から出射される光が通過する投影レンズと、
前記投影レンズの光軸の第１の側に配置され、前記半導体発光素子から出射された光の一部を遮ることを可能とされたシェードとを備え、
前記投影レンズの出射面における周縁部は、当該出射面における中央部の曲率よりも小さな曲率を有する部分を含み、
前記光軸を挟んで前記第１の側の逆側である第２の側において、前記周縁部の一部は、前記半導体発光素子から出射される光を当該第１の側と当該第２の側へ拡散させる形状を有している、灯具。
【請求項４】
前記第１の側と前記第２の側は、それぞれ車両の下側と上側であり、
前記出射面の少なくとも前記中央部は、前記半導体発光素子から出射される光を車両の左右方向に拡散させる形状を有している、請求項３に記載の灯具。
【請求項５】
前記周縁部の一部は、前記投影レンズの入射面の一部である、請求項３または４に記載の灯具。
【発明の詳細な説明】
【技術分野】
【０００１】
本発明は、車両に搭載される灯具に関する。
【背景技術】
【０００２】
この種の灯具として、白色発光ダイオード（ＬＥＤ）等の半導体発光素子を光源に用いたものが知られている（例えば特許文献１参照）。光源から出射された光は、光源の前方に配置された投影レンズを通過し、投影レンズの前方に所定の配光パターンを形成する。
【先行技術文献】
【特許文献】
【０００３】
【特許文献１】特開２００７−２１３８７７号公報
【発明の概要】
【発明が解決しようとする課題】
【０００４】
光源から出射される白色光は、その成分ごとに投影レンズにおける屈折率が異なる。そのため投影レンズを通過する際に色収差が発生する。例えば青色成分の光は、投影レンズの中心方向へより大きく屈折するため、投影レンズの前方焦点を通過して形成する配光パターンにおいては、周縁部に青色が現れることになる。この現象は、当該青色を視認した者に強い違和感を与える。
【０００５】
車両の左右方向に配列された複数の白色ＬＥＤを光源として用いる場合、素子同士の境界が配光パターン上に筋として結像されるのを防止するため、敢えて光源を投影レンズの後方焦点からずれた位置に配置している。特にこのような構成においては、色収差の発生がより顕著となる。
【０００６】
よって本発明は、車両に搭載される灯具において色収差の発生を抑制し、良好な配光パターンを形成可能とする技術を提供することを目的とする。
【課題を解決するための手段】
【０００７】
上記の目的を達成するために、本発明がとりうる第１の態様は、車両に搭載される灯具であって、
半導体発光素子と、
前記半導体発光素子から出射される光が通過する投影レンズと、
前記投影レンズの光軸の第１の側に配置され、前記半導体発光素子から出射された光の一部を遮ることを可能とされたシェードとを備え、
前記投影レンズの出射面における周縁部は、当該出射面における中央部の曲率よりも小さな曲率を有する部分を含み、
前記投影レンズは、前記光軸を挟んで前記第１の側の逆側である第２の側において、前記周縁部の一部が切り欠かれた形状を有している。
【０００８】
上記の目的を達成するために、本発明がとりうる第２の態様は、車両に搭載される灯具であって、
半導体発光素子と、
前記半導体発光素子から出射される光が通過する投影レンズと、
前記投影レンズの光軸の第１の側に配置され、前記半導体発光素子から出射された光の一部を遮ることを可能とされたシェードとを備え、
前記投影レンズの出射面における周縁部は、当該出射面における中央部の曲率よりも小さな曲率を有する部分を含み、
前記光軸を挟んで前記第１の側の逆側である第２の側において、前記周縁部の一部は、前記半導体発光素子から出射される光を当該第１の側と当該第２の側へ拡散させる形状を有している。
【０００９】
このような構成によれば、投影レンズの周縁部の曲率を中央部の曲率よりも小さくしているため、周縁部に入射した光が中央部側へ屈折することを抑制しうる。したがって屈折率の高い青色成分の光が照明領域の端縁に到達しにくくなり、色収差を伴わない良好な配光パターンを形成することができる。
【００１０】
第１の態様に係る構成によれば、色収差対策として第１の側への屈折を抑制された光が、シェードにより形成される非照明領域に到達することを防止しうる。これにより、所望の非照明領域に光が漏れ出すことのない、良好な配光パターンを形成することができる。
【００１１】
第２の態様に係る構成によれば、第２の側において出射光が上下方向に混ざり合う効果が得られるため、色収差対策として第１の側への屈折を抑制された光が、シェードにより形成される非照明領域に到達することを抑制しうる。これにより、所望の非照明領域に光が漏れ出すことのない、良好な配光パターンを形成することができる。
【００１２】
さらに第２の態様に係る構成によれば、投影レンズの一部を切り欠いた形状とする必要がないため、投影レンズを通過する光量を増加させることができる。したがって、照明領域の照度が高い、良好な配光パターンを形成することができる。
【００１３】
上記の各態様において、前記第１の側と前記第２の側は、それぞれ車両の下側と上側であり、前記出射面の少なくとも前記中央部は、前記半導体発光素子から出射される光を車両の左右方向に拡散させる形状を有している構成としてもよい。
【００１４】
このような構成によれば、出射光が左右方向に混じり合う効果が得られるため、青色成分の光が単独で照明領域の左右端縁に到達しにくくなる。したがって特に照明領域の左右端縁における色収差の発生を抑制することができる。
【００１５】
前記周縁部の一部は、前記投影レンズの入射面の一部である構成としてもよい。特に出射面側を拡散効果が得られる形状とする場合において、その機能を阻害することなく上述の効果を得ることができる。
【図面の簡単な説明】
【００１６】
【図１】本発明の第１の実施形態に係る照明装置の外観を示す正面図である。
【図２】図１の線II−IIに沿う照明装置の内部構成を示す縦断面図である。
【図３】図１の照明装置により形成される配光パターンを示す図である。
【図４】ＬＥＤアレイと付加配光領域の配光パターンの関係を示す図である。
【図５】図１のハイビーム灯具ユニットの動作を示す図である。
【図６】図５のハイビーム灯具ユニットにおける投影レンズの形状を示す図である。
【図７】本発明の第２の実施形態に係るハイビーム灯具ユニットの動作を示す図である。
【図８】図７のハイビーム灯具ユニットにおける投影レンズの形状を示す図である。
【発明を実施するための形態】
【００１７】
添付の図面を参照しつつ本発明について以下詳細に説明する。なお以下の説明に用いる各図面では、各部材を認識可能な大きさとするために縮尺を適宜変更している。
【００１８】
図１は、本発明の第１の実施形態に係る照明装置１の外観を模式的に示す正面図である。図２は、図１における線II−IIに沿う縦断面図であり、照明装置１の一部に係る内部構成を模式的に示すものである。
【００１９】
照明装置１は、車両の前部右寄りに装着されて車両の前方を照明する装置である。照明装置１は、ランプハウジング３の前部に透光カバー２を装着することにより区画形成された灯室４を備えている。灯室４の内部には、ロービーム灯具ユニット５、ハイビーム灯具ユニット６、制御部７、およびエクステンション８が収容されている。車両の前部左寄りには、図１に記載のものと左右対称の構成を有する照明装置１が装着される。
【００２０】
ロービーム灯具ユニット５は、近距離前方を所定の照度で照明する灯具であり、光源５１、シェード５２、および投影レンズ５３を備えている。シェード５２は、光源５１の前方に配置されている。投影レンズ５３は、シェード５２の前方に配置されている。
【００２１】
光源５１としては、ＨＩＤ（High Intensity Discharge）ランプやキセノンランプ等の放電灯や、発光ダイオード（ＬＥＤ）やレーザダイオード等の半導体発光素子が用いられうる。光源５１より出射された光の一部は、シェード５２によって遮られつつ、投影レンズ５３を通過し、車両の前方に図３に示すロービーム配光パターンＰＬを形成する。具体的には、シェード５２の上端縁の形状に対応して水平方向に延びるカットオフラインの下方を照明する。
【００２２】
ハイビーム灯具ユニット６は、前方の広範囲および遠方を比較的高い照度で照明するものであり、主に対向車両や先行車両が少ない道路を高速走行する場合等に用いられる。図２に示すように、ハイビーム灯具ユニット６は、光源６１、シェード機構６２、投影レンズ６３、およびホルダ６４を備えている。光源６１から出射された光は、投影レンズ６３を通過し、車両の前方に図３に示す付加配光領域ＰＡを照明する。
【００２３】
図４の（ａ）は、光源６１を車両の前方から見た構成を模式的に示す図である。光源６１は、基板６１ａ上において半導体発光素子である複数の白色ＬＥＤが車両の左右方向に配列されたＬＥＤアレイ６１ｂを備えている。本実施形態のＬＥＤアレイ６１ｂは、１３個のＬＥＤを備えている。
【００２４】
図４の（ｂ）は、運転者側から見た付加配光領域ＰＡとＬＥＤアレイ６１ｂを構成する各ＬＥＤとの関係を示す図である。付加配光領域ＰＡは、１３個の部分領域Ｐ１〜Ｐ１３に分割されている。ＬＥＤアレイ６１ｂにおいて「１」が付されたＬＥＤが発光することにより、部分領域Ｐ１が照明される。他の部分領域においても同様に、ＬＥＤアレイ６１ｂにおける対応するＬＥＤが発光することにより照明がなされる。全てのＬＥＤが発光することにより、付加配光領域ＰＡ全体が照明される。
【００２５】
付加配光領域ＰＡを形成する複数の部分領域Ｐ１〜Ｐ１３の少なくとも１つが照明された状態を、付加配光パターンと称する。ロービーム配光パターンＰＬと付加配光パターンが同時に形成された状態を、ハイビーム配光パターンと称する。
【００２６】
各ＬＥＤは、制御線６１ｃを介して制御部７との間に電流回路を形成している。図４の（ａ）においては、ＬＥＤアレイ６１ｂを形成する複数のＬＥＤのうち、両端のもの以外のＬＥＤについては制御線６１ｃの図示を省略している。
【００２７】
ホルダ６４は、熱伝導性の高い金属等の材料から成り、前面６４ａに光源６１を支持している。前面６４ａからはレンズホルダ６４ｂが前方に延びており、その前端部に投影レンズ６３が支持されている。ホルダ６４の後部には放熱フィン６４ｃが設けられており、光源６１から発生する熱を効率よく逃がすための適宜の形状および配置とされている。
【００２８】
図５に示すように、光源６１は、投影レンズ６３の光軸Ａｘ上、かつ投影レンズ６３の後方焦点Ｆよりもやや後方に配置される。これは各ＬＥＤの発光像の投影像としての部分領域Ｐ１〜Ｐ１３をいくらかぼかすことにより、部分領域同士の境界線が付加配光領域内に結像されることを防止するためである。
【００２９】
図２に示すように、シェード機構６２は、シェード６２ａ、支持部材６２ｂ、および駆動機構６２ｃを備えている。シェード６２ａは、支持部材６２ｂを介して駆動機構６２ｃが備える回動軸に支持されている。駆動機構６２ｃは、制御線６２ｄを介して制御部７と通信可能に接続されている。
【００３０】
制御部７は、車両が備える統合制御部と通信可能に接続されている。統合制御部は、各種演算処理を実行するＣＰＵ、各種制御プログラムを格納するＲＯＭ、データ格納やプログラム実行のためのワークエリアとして利用されるＲＡＭ等を備え、車両における様々な制御を実行するものである。
【００３１】
制御部７の少なくとも一部は、コンピュータのプロセッサやメモリをはじめとする素子や機械装置、電気回路といったハードウェアで構成され、またはコンピュータプログラム等のソフトウェアで構成される。制御部７がハードウェアとソフトウェアの組合せにより構成されうることは勿論である。
【００３２】
シェード６２ａは、光源６１の前方において、投影レンズ６３の光軸Ａｘの下方に配置されている。制御部７が制御線６２ｄを通じて駆動機構６２ｃの動作を制御することにより、図５に実線で示す上端位置ＵＰと二点鎖線で示す下端位置ＬＰとの間で移動可能とされている。
【００３３】
シェード６２ａが上端位置ＵＰに位置する場合、光源６１から出射された光の一部が遮られる。このとき図４の（ｃ）に示すように、付加配光領域ＰＡ内に非照明領域Ｓが形成される。
【００３４】
図４の（ｃ）は、例えば前方正面の先行車に与えるグレアを避けるために、部分領域Ｐ５〜Ｐ８に対応するＬＥＤを消灯して当該領域を非照明状態とする一方、路肩等の歩行者等を照明するために、部分領域Ｐ１〜Ｐ４およびＰ９〜Ｐ１３に対応するＬＥＤを点灯して当該領域を照明状態とした場合を示している。ここでシェード６２ａを上端位置ＵＰに配置することで非照明領域Ｓを形成すると、照明状態とされた各部分領域の上部すなわち歩行者等の頭部付近が非照明状態となるため、当該部分領域内に位置する歩行者等に与えるグレアを防止することができる。
【００３５】
図６は、投影レンズ６３の具体的な形状を説明するための図であり、（ａ）は正面図、（ｂ）は（ａ）における線VIB−VIBに沿う水平断面図、（ｃ）は（ａ）における線VIC−VICに沿う垂直断面図である。
【００３６】
投影レンズ６３は、中央部６３ａ、周縁部６３ｂ、およびフランジ部６３ｃを備えている。中央部６３ａは、投影レンズ６３の光軸Ａｘを含む領域として定義される。フランジ部６３ｃは、レンズホルダ６４ｂにより支持される部分であり、光源６１から出射された光の通過すなわち配光パターンの形成には実質的に関与しない。周縁部６３ｂは、投影レンズ６３の径方向について、中央部６３ａの外側かつフランジ部６３ｃの内側に位置する領域として定義される。図６の（ａ）においては、中央部６３ａと周縁部６３ｂの境界を破線で示している。
【００３７】
本実施形態においては、周縁部６３のうち、中央部６３ａの左右両側に位置する部分と、中央部６３ａの下側に位置する部分とで出射面の曲率を異ならせている。そこで前者を左右周縁部６３ｂ１、後者を下側周縁部６３ｂ２として区別する。
【００３８】
図６の（ｂ）に示す破線は、投影レンズ６３の出射面の基調線を示している。これより明らかなように、左右周縁部６３ｂ１の曲率は、中央部６３ａの曲率よりも小さい。これは投影レンズ６３において発生する色収差を抑制し、付加配光領域ＰＡ内に形成される照明領域の左右端縁に青色が視認されることを防止するための構成である。
【００３９】
光源６１から出射されて中央部６３ａに入射した光は、光軸Ａｘに略平行な向きに投影レンズ６３から出射される。一方、光源６１から出射されて左右周縁部６３ｂ１に入射した光は、中央部６３ａよりも小さく設定された曲率によって、光軸Ａｘに平行な向きよりも投影レンズ６３の径方向外側へ向かって出射される。これに伴い、径方向内側へより大きく屈折する青色成分の光の出射方向も径方向外側へと向けられ、照明領域の左右端縁に到達しにくくなる。したがって照明領域の左右端縁に青色が視認される現象を抑制することができる。
【００４０】
さらに本実施形態においては、図６の（ａ）および（ｂ）に示すように、投影レンズ６３の中央部６３ａおよび周縁部６３ｂにおける出射面に、上下方向に延びる多数の突条６３ｄが形成されている。各突条６３ｄは、投影レンズ６３に入射した光が左右方向に拡散されつつ出射されるシリンドリカルレンズを構成するように形成されている。
【００４１】
このような構成によれば、出射光が左右方向に混ざり合う効果が得られるため、青色成分の光が単独で照明領域の左右端部に到達しにくくなる。したがって照明領域の左右端部に青色が視認される現象がさらに抑制され、良好な配光パターンを形成できる。
【００４２】
図６の（ｃ）に示す下側周縁部６３ｂ２における出射面の曲率は、左右周縁部６３ｂ１の曲率よりも大きく設定されている。図５に示すように、光源６１から出射されて中央部６３ａに入射した光は、光軸Ａｘと略平行な向きに投影レンズ６３から出射される。一方、光源６１から出射されて下側周縁部６３ｂ２に入射した光は、より大きく上方へ屈折されつつ投影レンズ６３から出射される。したがってロービーム配光パターンＰＬの上方に位置する付加照明領域ＰＡにより多くの光が供給され、良好な配光パターンの形成に寄与する。屈折を強めているために色収差の発生が伴うものの、付加配光領域ＰＡの上端縁に青色が現れても現実的な問題はない。
【００４３】
一方、中央部６３ａの上方に入射する青色成分の光は下方へ屈折されることになるため、色収差により付加照明領域ＰＡの下端縁に青色が視認されうる。当該位置に現れる青色は、視認した者に強い違和感を与えるため、色収差を抑制するための方策が必要となる。
【００４４】
左右周縁部６３ｂ１と同様に、中央部６３ａの出射面と比較して曲率の小さな出射面を中央部６３ａの上方に形成することが方策の一つとして考えられる。しかしながら仮に中央部６３ａの上方にこのような出射面を形成した場合、当該出射面から出射される光には、中央部６３ａ側への屈折を弱められた、光軸Ａｘに対して上方に傾いた光が含まれる。
【００４５】
図５において、光軸Ａｘの下方に示す光線を二点鎖線で示している。シェード６２ａが二点鎖線で示す下端位置ＬＰにあるときにおいてのみ投影レンズ６３の通過を許容される光線であることを示すためである。すなわちシェード６２ａが上端位置ＵＰにあるときは、これらの光線はシェード６２ａに遮られて配光パターンの形成に関与しない。そのため図４の（ｃ）に示す非照明領域Ｓが形成される。
【００４６】
しかしながら光軸Ａｘに対して上方に傾きつつ上述の仮想出射面から出射される光は、二点鎖線で示した光線と同様にやや上方に向けて出射されるため、本来はシェード５２ａにより非照明領域Ｓとされる領域に光が到達してしまう。
【００４７】
本実施形態においては、この問題に対処するため、投影レンズ６３を、中央部６３ａの上側に位置する周縁部６３ｂの一部が切り欠かれた形状としている。このようにして形成された上端面６３ｅは平坦面とされている。図２および図５に示すように、エクステンション８の下端部が上端面６３ｅに当接されている。
【００４８】
このような構成によれば、光源６１から出射されて投影レンズ６３の中央部６３ａの上方に入射する光の一部を、配光パターンの形成に関与させないようにすることができる。当該部分に入射する光は、付加配光領域ＰＡの下端縁に青色が視認される現象の原因となるものである。この原因そのものが排除されるため、付加配光領域ＰＡの下端縁に色収差を伴わない、良好な配光パターンを形成することができる。
【００４９】
エクステンション８は、外方から照明装置１の内部を隠蔽する加飾部材であるとともに、図５に示すように、光源６１から出射されて投影レンズ６３の上端面６３ｅの上方に向かう光を遮る部材として用いられる。これにより配光パターンの形成に関与させないことにした光が照明装置１の外部に漏れ出すことを防止できる。
【００５０】
次に図７および図８を参照しつつ、本発明の第２の実施形態に係るハイビーム灯具ユニット６Ａについて説明する。第１の実施形態に係るハイビーム灯具ユニット６と実質的に同一の構成要素には、同一の参照番号を付与し、繰り返しとなる説明は割愛する。
【００５１】
図７に示すように、本実施形態のハイビーム灯具ユニット６Ａは、第１の実施形態に係るハイビーム灯具ユニット６の投影レンズ６３とは異なる形状の投影レンズ６３Ａを備えている。図８は、投影レンズ６３Ａの具体的な形状を説明するための図であり、（ａ）は正面図、（ｂ）は（ａ）における線VIIIB−VIIIBに沿う水平断面図、（ｃ）は（ａ）における線VIIIC−VIIICに沿う垂直断面図、（ｄ）は背面図である。
【００５２】
図８の（ｃ）に示すように、本実施形態の投影レンズ６３Ａにおいては、中央部６３ａの出射面の曲率よりも小さな曲率を有する出射面を有する上側周縁部６３ｂ３が、中央部６３ａの上方に形成されている。
【００５３】
図７に示すように、光源６１から出射されて中央部６３ａに入射した光は、光軸Ａｘに略平行な向きに投影レンズ６３Ａから出射される。一方、光源６１から出射されて上側周縁部６３ｂ３に入射した光は、中央部６３ａよりも小さく設定された曲率によって、光軸Ａｘに平行な向きよりも投影レンズ６３の径方向外側へ向かって出射される。これに伴い、径方向内側へより大きく屈折する青色成分の光の出射方向も径方向外側へと向けられ、照明領域の下端縁に到達しにくくなる。したがって照明領域の下端縁に青色が視認される現象を抑制することができる。
【００５４】
さらに本実施形態においては、投影レンズ６３Ａの入射面の一部である、上側周縁部６３ｂ３に対向する位置に、車両の左右方向に延びる複数の突条６３ｆが形成されている。各突条６３ｆは、投影レンズ６３Ａに入射した光が上下方向に拡散されつつ出射されるシリンドリカルレンズを構成するように形成されている。
【００５５】
このような構成によれば、出射光が上下方向に混ざり合う効果が得られるため、青色成分の光が単独で照明領域の下端縁に到達しにくくなる。したがって照明領域の下端縁に青色が視認される現象がさらに抑制され、良好な配光パターンを形成することができる。
【００５６】
さらに上側周縁部６３ｂ３から出射された光が、拡散効果によってシェード５２ａにより形成される非照明領域Ｓに到達しにくくなる。したがって、非照明領域Ｓに光が漏れ出すことのない、良好な配光パターンを形成することができる。
【００５７】
また第１の実施形態に係る投影レンズ６３のように上端部を切り欠いた形状とはされていないため、投影レンズ６３Ａを通過する光量を増やすことができる。したがって投影レンズ６３と比較して照度の高い、良好な配光パターンを形成することができる。
【００５８】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００５９】
左右周縁部６３ｂ１の曲率設定のみで、照明領域の左右端における色収差の問題を解消できるのであれば、入射光を車両の左右方向に拡散させる突条６３ｄは必須でない。突条６３ｄの形成が必要な場合においても、必ずしも中央部６３ａと周縁部６３ｂの全体に形成されていることを要しない。少なくとも中央部６３ａに形成されていればよい。
【００６０】
第２の実施形態に係る投影レンズ６３Ａについては、上側周縁部６３ｂ３の出射面に突条６３ｄが形成されない場合、入射光を車両の上下方向に拡散させる突条６３ｆが上側周縁部６３ｂ３の出射面に形成される構成としてもよい。
【００６１】
各突条６３ｄおよび６３ｆの形状は、必ずしもシリンドリカルレンズを構成する形状とすることを要しない。入射光を車両の左右方向あるいは上下方向に拡散させることができる限りにおいて、適宜の形状を選択することができる。例えば、断面が三角形状の突条や細溝、シボ等を形成することにより、所望の拡散特性を得ることができる。
【００６２】
各突条６３ｄおよび６３ｆの形状は、必ずしも全て同じであることを要しない。異なる形状や種類を適宜組み合わせた構成としてもよい。
【００６３】
投影レンズ６３の一部を切り欠かれた形状とすることによって形成される上端面６３ｅは、必ずしも平坦面であることを要しない。付加配光領域ＰＡの下端縁に色収差が生ずる原因となる光の一部を、配光パターンの形成に関与させないようにしうる限りにおいて、適宜の切り欠かれた形状を選択することができる。
【００６４】
光源６１として用いられる半導体発光素子は、上記のＬＥＤに限られるものではなく、レーザダイオードや有機ＥＬ素子等を用いる構成としてもよい。また必ずしも複数の半導体発光素子を並べてアレイを形成することを要しない。すなわち半導体発光素子は少なくとも１つ設けられていればよい。
【００６５】
本発明の灯具としての灯具ユニット６は、必ずしも前照灯のハイビーム配光パターンを形成するために用いられることを要しない。光源から出射された光の一部を遮るシェードを利用する配光パターンの形成を要する、適宜の照明装置に装備されうる。
【００６６】
シェード５２ａと切欠き形状部分あるいは突条６３ｆとの位置関係は、光軸Ａｘの上下方向に限られるものではない。シェード５２ａが光軸Ａｘの第１の側に配置される場合、投影レンズ６３における切欠形状部分あるいは投影レンズ６３Ａにおける突条６３ｆの位置は、光軸Ａｘを挟んで上記第１の側と逆側である第２の側とされる。第１の側と第２の側は、灯具ユニット６、６Ａが装備される照明装置の用途や仕様に応じて、適宜に定められる。
【符号の説明】
【００６７】
６、６Ａ：ハイビーム灯具ユニット、５２ａ：シェード、６１：ＬＥＤアレイ、６３、６３Ａ：投影レンズ、６３ａ：投影レンズの中央部、６３ｂ１：投影レンズの左右周縁部、６３ｂ３：投影レンズの上側周縁部、６３ｄ：突条、６３ｅ：投影レンズの上端面、６３ｆ：突条、Ａｘ：投影レンズの光軸
【図１】
2014071958.tif 000003
【図２】
2014071958.tif 000004
【図３】
2014071958.tif 000005
【図４】
2014071958.tif 000006
【図５】
2014071958.tif 000007
【図６】
2014071958.tif 000008
【図７】
2014071958.tif 000009
【図８】
2014071958.tif 000010